(57)【要約】      （修正有）【課題】リムーバブル記憶媒体構成体に帯電した静電荷による破壊、誤作動を防ぐ。【解決手段】録画再生装置に、所定規格で構成された記憶媒体構成体１００のコネクタ２６のグランドと電気的に接続可能な除電手段６０を設ける。そして、録画再生装置のコネクタ３２に記憶媒体構成体１００が挿入される前に、記憶媒体構成体１００のＧＮＤ端子と除電手段６０とを接触させ、記憶媒体構成体１００の筐体の静電気を録画再生装置のアース７０Ｇと接続させる。【選択図】図１
2009054211.tif 000002
【特許請求の範囲】
【請求項１】
録画再生装置において、
所定の規格により構成された、筐体内部に記憶媒体を内蔵した記憶媒体構成体が着脱可能に嵌合されるコネクタと、前記記憶媒体構成体が有するグランド端子に電気的に接触可能な除電手段とを備え、
前記カートリッジが前記コネクタに嵌合される際に、前記除電手段が前記記憶媒体構成体のグランド端子に電気的に接触してから前記記憶媒体構成体が前記コネクタに嵌合されることを特徴とする録画再生装置。
【請求項２】
請求項１に記載の録画再生装置において、前記除電手段は、前記記憶媒体構成体が有するグランド端子に電気的に接触することにより、前記記憶媒体構成体が有する静電気を前記録画再生装置に接地して除電することを特徴とする録画再生装置。
【請求項３】
録画再生装置において、
筐体内部に記憶媒体が収納された着脱可能な記憶媒体構成体を格納する格納部を有し、前記格納部において前記記憶媒体構成体が備える第１コネクタと前記格納部の奥部に配置された第２コネクタとを着脱可能に嵌合させて前記記憶媒体構成体と接続するように構成され、
前記格納部における前記記憶媒体構成体の着脱通路内に、前記記憶媒体構成体が前記格納部に挿入される際、前記記憶媒体構成体が前記第２コネクタに嵌合される前に、前記記憶媒体構成体の第１コネクタのグランド端子に電気的に接触し、前記記憶媒体構成体が有する静電気を前記録画再生装置に接地して除電する除電手段を備えたことを特徴とする録画再生装置。
【請求項４】
請求項３に記載の録画再生装置において、
前記除電手段は、前記記憶媒体構成体の第１コネクタに嵌合すると共に前記第２コネクタに嵌合する移動可能な第３コネクタと、前記記憶媒体構成体が未装着の場合前記第３コネクタを所定位置に付勢する付勢手段と、前記付勢手段で付勢された前記第３コネクタの移動をガイドする接地された導電性を有するガイド手段と、を備え、前記第３コネクタが有する複数のグランド端子の少なくとも一つは前記ガイド手段に電気的に接続されなり、前記記憶媒体構成体が前記格納部に挿入される際、先ず、前記付勢手段により付勢された前記第３のコネクタが前記記憶媒体構成体の第１コネクタに嵌合し、前記記憶媒体構成体が有する静電気を前記第１コネクタのグランド端子から前記第３コネクタのグランド端子を経て前記ガイド手段を介して接地して除電し、その後、前記記憶媒体構成体が前記第３コネクタを介して前記第２コネクタに嵌合されるようにしたことを特徴とする録画再生装置。
【請求項５】
記録画再生装置において、
筐体内部に記憶媒体が収納された着脱可能な記憶媒体構成体を格納する格納部を有し、前記格納部において前記記憶媒体構成体が備える第１コネクタと前記格納部の奥部に配置された第２コネクタとを着脱可能に嵌合させて前記記憶媒体構成体と接続するように構成され、
前記格納部における前記記憶媒体構成体の着脱通路内に、前記記憶媒体構成体の第１コネクタに嵌合すると共に前記第２コネクタに嵌合する移動可能な第３コネクタと、前記記憶媒体構成体が未装着の場合前記第３コネクタを所定位置に付勢する付勢手段と、前記付勢手段で付勢された前記第３コネクタの移動をガイドする接地された導電性を有するガイド手段と、を備え、前記第３コネクタが有する複数のグランド端子の少なくとも一つは前記ガイド手段に電気的に接続されなり、前記記憶媒体構成体が前記格納部に挿入される際、先ず、前記付勢手段により付勢された前記第３のコネクタが前記記憶媒体構成体の第１コネクタに嵌合し、前記記憶媒体構成体が有する静電気を前記第１コネクタのグランド端子から前記第３コネクタのグランド端子を経て前記ガイド手段を介して接地して除電し、その後、前記記憶媒体構成体が前記第３コネクタを介して前記第２コネクタに嵌合されるようにしたことを特徴とする録画再生装置。
【発明の詳細な説明】
【技術分野】
【０００１】
本発明は、筐体内部に記憶媒体が収納された着脱可能な記憶媒体構成体に対して、読み出し（再生）や書き込み（録画）を行う録画再生装置に係わり、特に、記憶媒体構成体に帯電された静電気から装置を保護するための技術に関する。
【背景技術】
【０００２】
半導体メモリやＨＤＤ（Hard Disk Drive）等の記憶媒体を筐体内部に内蔵した着脱可能な（以下、「リムーバブル」という）記憶媒体構成体を録画再生装置に挿入する際に、該記録媒体構成体に帯電されている静電気により録画再生装置内部の電気回路に過電圧が印加され、誤作動や素子破壊が生じる可能性がある。
【０００３】
記憶媒体構成体の静電気から装置を保護するための従来の技術としては、例えば特許文献１及び２に記載のものが知られている。特許文献１及び２は、カートリッジタイプの光磁気ディスクを収納するトレイの開閉蓋あるいは開口部に除電手段（例えば、除電ブラシや金属接触片など）を設け、録画再生装置に光磁気ディスクを挿入する際、前記除電手段で光磁気ディスクのカートリッジが有する金属製のカバーを摺動し、金属製カバーに帯電した静電気を除電する技術を開示する。
【０００４】
また、特許文献３は、筐体内部にＨＤＤを内蔵したリムーバブル記憶媒体構成体を用いた録画再生装置において、リムーバブルＨＤＤに金属端子を設け、リムーバブルＨＤＤを録画再生装置に挿入する際、上記金属端子の先端が録画再生装置側の接地に接続することによって、リムーバブルＨＤＤの筐体の静電気を除去する技術を開示する。
【０００５】
【特許文献１】特開平６−３４９２６４号公報
【特許文献２】特開平２−２２７８６８号公報
【特許文献３】特開２００３−３１７８７３号公報
【発明の開示】
【発明が解決しようとする課題】
【０００６】
近年、リムーバブルな記憶媒体構成体であるＨＤＤの一つとして、例えば、著作権保護技術ＳＡＦＩＡ（Security Architecture For Intelligent Attachment Drive）に準拠したリムーバブルＨＤＤであるｉＶＤＲ規格が提案されている。以下、ｉＶＤＲ規格で構成されたリムーバブルＨＤＤを単に「ｉＶＤＲ」と呼ぶものとする。
【０００７】
ｉＶＤＲは、金属製外装のＨＤＤを絶縁部材の筐体（カートリッジ）で挟持した構成である。このため、ｉＶＤＲにおいては、その筐体（カートリッジ）に生じた静電気は、金属製外装に対して静電誘導により逆極性の静電荷を生じさせる。その結果、カートリッジの静電気と同極性の静電荷が、金属製外装に電気的に接続された基板のグランド、及びｉＶＤＲに備えられた録画再生装置とのコネクタを通して録画再生装置側に印加され得る。
【０００８】
ｉＶＤＲのカートリッジ上の静電気は、上記のように内部の金属製外装に誘導された逆極性の静電気と電気的結合しているため、この静電気を除去するために特許文献１または２に記載のような除電手段を用いても、充分に除去することができない。
【０００９】
また、ｉＶＤＲでは、互換性を持たせるために規格でカートリッジ（筐体）形状が規定されているため、コネクタ以外の、例えば特許文献３に記載のような静電気除去のための金属端子を持たせることができない。
【００１０】
このように、ｉＶＤＲにおいては、上記した光磁気ディスクやメモリカードとは異なり、カートリッジに生じた静電気を録画再生装置との間で放電し難い。かかる課題は、ｉＶＤＲに限らず、筐体上の静電気によって誘導電荷が生じる程の十分大きな金属導体を内部に有する構造のリムーバブル記憶媒体構成体であれば、同様に生じ得る。
【００１１】
本発明は上記した課題に鑑みてなされたもので、その目的は、リムーバブル記憶媒体構成体の互換性を保ちながら、該記憶媒体構成体に生じた静電気から録画再生装置を保護するための技術を提供することにある。
【課題を解決するための手段】
【００１２】
上記目的を達成するために、本発明では、録画再生装置に、所定規格で構成された記憶媒体構成体のコネクタのグランドと電気的に接続可能な除電手段を設ける。そして、録画再生装置のコネクタに記憶媒体構成体が挿入される前に、記憶媒体構成体のＧＮＤ端子と上記除電手段とを接触させ、記憶媒体構成体の筐体の静電気を録画再生装置にアースさせる。
【００１３】
これにより、記憶媒体構成体側に端子等の要素を新たに設けることなく、好適に記憶媒体構成体の静電気を除去することが可能となる。従って、記憶媒体構成体の互換性を保ちながら、記憶媒体構成体に帯電された静電気から録画再生装置を保護することが可能となる。
【発明の効果】
【００１４】
本発明の構成によれば、記憶媒体構成体の互換性を保ちながら、記憶媒体構成体に帯電された静電気から録画再生装置を保護することが可能となる。
【発明を実施するための最良の形態】
【００１５】
以下、本発明の実施形態について図面に基づいて説明する。なお、全図において、共通な機能を有する要素には同一な符号を付して示し、一度説明したものについては、その重複する説明を省略する。また、本発明は、著作権保護技術に係わるものではなく、本実施形態の説明を容易にするため、その記載を省略するものとする。また、以下では、記憶媒体構成体としてｉＶＤＲを用いて説明するが、本発明はこれに限定されるものではない。
【００１６】
図２は、本実施形態に係わるｉＶＤＲの外観の斜視図である。図３は、本実施形態に係わるｉＶＤＲのカートリッジ内部に収納された金属外装製ＨＤＤを側面から見た模式図である。図３の側面図には、ＨＤＤがカートリッジ１０によって挟持されていることを示すために、カートリッジ１０の外形が点線で示されている。この図２，３を用いてｉＶＤＲの構造について説明する。
【００１７】
図２に示すようにｉＶＤＲ１００は、例えば２．５インチの場合、幅８０ｍｍ、高さ１２．７ｍｍ、奥行き１１０ｍｍの筐体としてのカートリッジ１０を有している。そして、カートリッジ１０の内部には、図３から明らかなように、ＨＤＤ２０が収納されている。カートリッジ１０の部材としては、絶縁性を有する樹脂部材が用いられている。本実施形態では、例えば、ポリカーボネートであるとする。カートリッジ１０の挿入方向側面には、コネクタ開口部１１が設けられ、コネクタ開口部１１から第１のコネクタ２６が露出するようになっている。また、カートリッジ１０の両側面には、ｉＶＤＲを録画再生装置（図示せず）に差し込む際のガイドとされるガイドレール１２や、ｉＶＤＲを固定する為のロック用溝１３がある。カートリッジ１０の上面には、挿入方向を示す矢印方向マークエリア１４やラベルを貼る為のラベルエリア１５がある。
【００１８】
カートリッジ１０内に収納されたＨＤＤ２０は、図３の側面図に示すように、金属製外装を構成する例えばアルミ製のフレーム２８と、フレーム２８を覆う金属製のカバー２９とを有する。カバー２９は、例えば金属製のネジ２９１でフレーム２８に固定され、全体としてＨＤＤ２０被覆する金属製外装を形成している。そして、金属製外装としてのフレーム２８とカバー２９とで形成される空間内（図示せず）に、スピンドルモータ、磁気ディスク、磁気ヘッド、ヘッドアーム、ボイスコイルモータなどで構成されたディスク駆動機構部（図示せず）が設けられている。また、フレーム２８のカバー２９とは逆側には、ディスク駆動機構部（図示せず）を駆動する共に、録画再生装置とのインターフェースを行う駆動回路（図示せず）が搭載された駆動回路基板２７が部品未搭載面を外側に向けて例えば金属製のネジ（図示せず）でフレーム２８に固定されている。
【００１９】
なお、駆動回路基板２７をフレーム２８に固定するネジの箇所は、非レジスト部のグランド（以下、グランドを「ＧＮＤ」と略記する）パターン部とされる。従って、フレーム２８およびカバー２９は、駆動回路基板２７のＧＮＤに接続されていることになる。また、駆動回路基板２７の開口部１１側端部には、第１のコネクタ２６が搭載されている。つまり、第１のコネクタ２６のＧＮＤ端子は、フレーム２８およびカバー２９に電気的に接続されていることになる。
【００２０】
ｉＶＤＲは、上記のように構成されており、録画再生装置（図示せず）の制御の基で、磁気ディスクから読み出したデータの送信や、入力されたデータの磁気ディスクへの書き込みなどを行うことができる。
【００２１】
次に、課題の項で述べた、静電気が主にｉＶＤＲに備えられた録画再生装置と接続するための第１のコネクタ２６を介して録画再生装置に印加される仕組みについて図４を用いて説明する。
【００２２】
図４は、ｉＶＤＲのカートリッジに静電気が生じた場合の電荷分布を現した図である。ここでは、ｉＶＤＲの挿入方向に沿う断面における電荷分布を概念的に示している。なお、図４において、フレーム２８とカバー２９とで構成される金属製外装を符号２５で示す。
【００２３】
本実施形態に係わるｉＶＤＲ１００のカードリッジ１０の部材は、例えば樹脂部材のポリカーボネートである。従って、カードリッジ１０を例えば、化学繊維などで摩擦すると静電気が生じる。ここでは、便宜上、プラス（＋）に帯電したものをする。
【００２４】
すると、ＨＤＤ２０の金属製外装２５としてのフレーム２８およびカバー２９のカードリッジ１０に対向する面上には、カードリッジ１０に帯電した正電荷によって静電誘導が起こり、負電荷が誘起される。金属製外装２５（カバー２９およびフレーム２８）は元々電気的に中性（帯電していない）なので、負電荷の誘起に伴い、逆側の面上には正電荷が生じる。カートリッジ１０上の正電荷と対を成す金属製外装２５上の負電荷は移動できないが、金属製外装２５上の正電荷は自由に移動可能であり、負電荷から極力離れようとする。これに伴い、カードリッジ１０から離れた金属製外装２５と電気的に接続された駆動回路基板２７や第１のコネクタ２６のＧＮＤに、正電荷が分布することになる。この様子を示したのが図４である。
【００２５】
この状態のｉＶＤＲ１００を録画再生装置に挿入すると、ｉＶＤＲの静電気が第１のコネクタ２６を介して録画再生装置に加わり、録画再生装置の誤動作を引き起こすことになる。
【００２６】
図４に示すように、カートリッジ１０の正電荷は、対向する金属製外装２５の負電荷と引き合っている。従って、図４の状態のｉＶＤＲ１００を録画再生装置に挿入する際、例えば、特許文献１の除電ブラシでカートリッジ１０表面を摺動して、絶縁性カードリッジ１０の正電荷を除電させようとしても除電し難い。
【００２７】
特許文献３に記載の放電ピンを、第１のコネクタ２６とは別に備え、特許文献３とは異なり、放電ピンの一方端を例えばフレーム２８に接続すれば、カードリッジ１０の正電荷によって誘起された金属製外装２５や駆動回路基板２７、第１のコネクタ２６上の移動可能な正電荷を、前記放電ピンを介して放電させることは出来る。しかし、ｉＶＤＲでは互換性を持たせるため、規格によりカートリッジ形状が規定されており、コネクタ以外の端子を持たせることが出来ない。従って、特許文献３の技術を適用することが出来ない。
【００２８】
次に、本実施形態による除電手段について説明する。
【００２９】
図１は、本実施形態による録画再生装置の除電手段の動作を説明する模式図である。図５は、本実施形態による除電手段の構成を模式的に示す断面構成図である。
【００３０】
まず、図１を用いて、本実施形態によるｉＶＤＲの静電気を除電する除電手段の概要について説明する。
【００３１】
図１に示すように、録画再生装置（図示せず）は、ｉＶＤＲ１００の一部もしくは全部を格納する格納部３０を有している。格納部３０には、その奥部にｉＶＤＲが有するプラグ型の第１のコネクタ２６（請求項の第１コネクタに対応）に嵌合するレセプタクル型の第２のコネクタ３２が設けられ、ｉＶＤＲ１００を挿入する挿入口３１と第２のコネクタ３２との間のｉＶＤＲを着脱するための着脱通路３９内に、ｉＶＤＲの静電気を除電する除電手段６０が設けられている。
【００３２】
除電手段６０は、その具体的な詳細構成については図５で後述するが、着脱通路３９内で移動自在な、挿入されるｉＶＤＲ１００のプラグ型の第１のコネクタ２６に嵌合すると共に、録画再生装置のレセプタクル型の第２のコネクタ３２に嵌合する第３のコネクタ４０と、着脱通路３９内の所定位置（後述）と第２のコネクタ３２との間で第３のコネクタ４０をガイドしながら移動可能とする可動部５０と、を含んでなる。また、可動部５０は、第３のコネクタ４０が着脱通路３９内を移動する過程で、第３のコネクタ４０のＧＮＤを録画再生装置の例えば金属製の筐体グランド（以下、「シャーシＧＮＤ」という）７０Ｇに導く導電部５０ａを備える。
【００３３】
従って、ユーザ（図示せず）によってｉＶＤＲ１００が録画再生装置の挿入口３１から格納部３０に挿入されると、ｉＶＤＲ１００は、先ず、着脱通路３９内に設けられた所定位置にある除電手段６０の第３のコネクタ４０に嵌合する。そして、ユーザの継続する挿入により、第３のコネクタ４０が接続された状態のｉＶＤＲ１００は着脱通路３９内を移動して、第３のコネクタ４０を介して録画再生装置の第２のコネクタ３２に接続される。一方、第３のコネクタ４０が接続された状態のｉＶＤＲ１００が第２のコネクタ３２に向けて着脱通路３９内を移動する過程で、ｉＶＤＲ１００のＧＮＤ（すなわち、第１のコネクタ２６のＧＮＤ端子）は、第３のコネクタ４０を介して、さらに可動部５０の導電部５０ａを通して、録画再生装置の例えばシャーシＧＮＤ７０Ｇに接地される。すなわち、帯電したｉＶＤＲ１００が録画再生装置の格納部３０に挿入される時、ｉＶＤＲ１００の第１のコネクタ２６が除電手段６０の第３のコネクタ４０を介して録画再生装置の第２のコネクタ３２に接続される前に、ｉＶＤＲ１００のＧＮＤが、第１のコネクタ２６のＧＮＤ→第３のコネクタ４０のＧＮＤ→可動部５０の導電部５０ａのルートで、録画再生装置の信号ＧＮＤとは異なる別の例えばシャーシＧＮＤ７０Ｇに接地され、ｉＶＤＲ１００の静電気が放電されることになる。
【００３４】
このように、本実施形態によれば、ｉＶＤＲのカートリッジ形状の規格を満足しながら、ｉＶＤＲ１００が録画再生装置の第２のコネクタ３２に接続される前に、良好にｉＶＤＲ１００の静電気を除電することが可能となる。従って、録画再生装置の誤動作や回路素子の破壊、さらには、ｉＶＤＲの内部素子の破壊を防ぐことができる。勿論、録画再生装置側に放電電流を制限する抵抗Ｒを設け、該抵抗Ｒを介して接地すれば、静電気放電による誤動作や素子破壊をさらに抑制できることは言うまでもない。また本実施例では、ｉＶＤＲ１００の第１のコネクタ２６を第３のコネクタ４０に接続した後に録画再生装置の第２のコネクタ３２を接続する構成としたが、ｉＶＤＲ１００の第１のコネクタ２６を録画再生装置の第２のコネクタ３２に直接的に接続するような構成としてもよい。
【００３５】
次に、図５を用いて、除電手段６０の詳細構成について説明する。
【００３６】
図５において、図１で述べたように、録画再生装置の格納部３０における挿入口３１と第２のコネクタ３２との間のｉＶＤＲ１００の着脱通路３９に、除電手段６０が設けられている。除電手段６０は、図１で述べたように、第３のコネクタ４０と、可動部５０とを含んでなる。可動部５０は、ここでは、第３のコネクタ４０をガイドして第２のコネクタ３２側に移動させるガイド手段としての導電性を有する例えば金属製のガイド棒５１と、ｉＶＤＲ１００の未挿入時第３のコネクタ４０を所定位置に付勢する付勢手段としてのバネ５６とを含んでなる。
【００３７】
第３のコネクタ４０は、ｉＶＤＲ１００側にｉＶＤＲ１００のプラグ型の第１のコネクタ２６に嵌合する接続部４０ａと、第２のコネクタ３２側にレセプタクル型の第２のコネクタ３２に嵌合する接続部４０ｂとを備え、ｉＶＤＲ１００の第１のコネクタ２６と第２のコネクタ３２とを接続する為の中継コネクタの機能を有する。第３のコネクタ４０の側面側の両端部にはガイド棒５１が貫通するレール孔４３が設けられている。そして、レール孔４３を介して２つのガイド棒５１に挿入された第３のコネクタ４０は、ガイド手段としてのガイド棒５１にガイドされて、移動可能とされている。
【００３８】
ガイド棒５１は、第３のコネクタ４０を保持してガイドするガイド手段である。また、ガイド棒５１は、ｉＶＤＲ１００が格納部３０に装着される際、ｉＶＤＲ１００のガイドレール１２に挿入され、ｉＶＤＲ１００をガイドする機能も有する。また、ガイド棒５１は、例えば導電性部材例えば金属製（例えば真鍮製）の棒であり、図１で述べた導電部５０ａを構成しており、録画再生装置のシャーシＧＮＤ７０Ｇに接地されている。ただし、第２のコネクタ３２側端部は絶縁コーティング５３で被覆されており、ｉＶＤＲ１００と嵌合した状態の第３のコネクタ４０が第２のコネクタ３２に接触する前に、第３のコネクタ４０とガイド棒５１との接触部が絶縁コーティング５３領域内に位置するようにしている。詳細は後述するが、第３のコネクタ４０のＧＮＤ端子とガイド棒５１は、レール孔４３の内壁面に設けられたガイド棒５１に接触して摺動する金属製の摺動子４４によって電気的に接続されている。しかし、第３のコネクタ４０が第２のコネクタ３２付近に至ると、摺動子４４が絶縁コーティング５３の領域を摺動することになり、第３のコネクタ４０のＧＮＤ端子とシャーシＧＮＤ７０Ｇとは、電気的な接続が絶たれるようになっている。
【００３９】
なお、ガイド棒５１の絶縁コーティング５３は、薄くてよい。それは、詳細は後述するが、帯電したｉＶＤＲ１００が格納部３０に挿入され、除電手段６０の第３のコネクタ４０に嵌合すると、直ちにｉＶＤＲ１００の静電気が第３のコネクタ４０を介してガイド棒５１に流れ、第３のコネクタ４０が第２のコネクタ３２近傍に至る時にはｉＶＤＲ１００の静電気は十分に放電され、その電圧が低下している。従って、コーティングの厚さが薄くても放電が生じることはない。
【００４０】
バネ５６は、ガイド棒５１と共に可動部５０を構成する要素で、ガイド棒５１に装着されている。バネ５６は、ｉＶＤＲ１００が未装着のとき、格納部３０の側壁３７から突起したストッパー３５と共に、第３のコネクタ４０を格納部３０の挿入口３１側近傍の所定位置に付勢する付勢手段である。また、格納部３０に装着されたｉＶＤＲ１００を抜き出すときに、第３のコネクタ４０介してｉＶＤＲ１００に付勢を与えて脱着を容易にするものでもある。
【００４１】
図６は、本実施形態による第３のコネクタの構成を模式的に示した図である。その（ａ）図は第３のコネクタの断面図で、その（ｂ）図は挿入口から見た平面視図である。
【００４２】
図６に示すように、第３のコネクタ４０には、第１のコネクタ２６や第２のコネクタ３２と同様、ｉＶＤＲのハードウエア規格で規定された端子配列を有する信号や電源などの電極端子４１とＧＮＤ端子４２がある。ＧＮＤ端子４２は、図６（ｂ）から明らかなように、複数の電極端子４１が配置されている面４０ｃの両端部で折り曲げられ、逆側の面４０ｄにも形成されている。つまり、ＧＮＤ端子４２は第３のコネクタ４０をほぼ帯状に取り囲むように形成されている。また、第３のコネクタ４０の側面側の両端部にはガイド棒５１が貫通するレール孔４３が設けられ、レール孔４３の内壁面には、レール孔４３を貫通するガイド棒５１に接触して摺動する金属製の摺動子４４が設けられている。そして、ＧＮＤ端子４２は、面４０ｄ側で、レール孔４３の摺動子４４と、導電性の良いワイヤー４５にて例えば半田付けされて、電気的に接続されている。
【００４３】
第３のコネクタ４０は、以上述べたように構成されている。従って、前記ＧＮＤ端子４２は、ワイヤー４５とレール孔４３の摺動子４４を介して前記ガイド棒５１と電気的に接続されていることになる。既に述べたが、ガイド棒５１はコネクタ３２側で録画再生装置のシャーシＧＮＤ７０Ｇに接続されている。その結果、ＧＮＤ端子４２は録画再生装置のシャーシＧＮＤ７０Ｇに接続されていることになる。
【００４４】
以下、図７と図８を用いて、ｉＶＤＲ１００が録画再生装置の格納部３０に挿入されてから第２のコネクタ３２に装着されるまでの過程について説明する。
【００４５】
図７は、ｉＶＤＲを録画再生装置の格納部に挿入し、ｉＶＤＲが第３のコネクタに嵌合した状態を示す図である。図８は、第３のコネクタが接続された状態のｉＶＤＲが第２のコネクタに嵌合した状態を示す図である。
【００４６】
図７に示すように、ｉＶＤＲ１００が格納部３０に挿入されると、先ず、ガイド棒５１がｉＶＤＲ１００のガイドレール１２に挿入される。そして、ｉＶＤＲ１００はガイド棒５１にガイドされながら中に進み、ｉＶＤＲ１００の第１のコネクタ２６が第３のコネクタ４０に接触する。第３のコネクタ４０はバネ５６によって挿入口３１側に付勢されおり、バネ５６の所定の付勢力によってｉＶＤＲ１００の第１のコネクタ２６は第３のコネクタ４０と嵌合する。第１のコネクタ２６が第３のコネクタ４０と嵌合すると、ｉＶＤＲ１００のカードリッジ１０上の静電気による静電誘導によって内蔵ＨＤＤ２０に生じた移動可能な同極性の静電荷は、ｉＶＤＲ１００の第１コネクタ２６のＧＮＤ端子→第３のコネクタのＧＮＤ端子４２→ワイヤー４５→レール孔４３の摺動子４４→ガイド棒５１のルートを通り、録画再生装置のシャーシＧＮＤ７０Ｇに放電される。
【００４７】
この放電は、ｉＶＤＲ１００が継続して挿入され、第３のコネクタ４０が第２のコネクタ３２付近に至ると停止する。つまり、第３のコネクタ４０が第２のコネクタ３２付近に近づくと、レール孔４３の摺動子４４がガイド棒５１の絶縁コーティング５３の領域で接触することになるので、第３のコネクタ４０が第２のコネクタ３２に嵌合する前（すなわち、ｉＶＤＲ１００が第２コネクタ３２に接続される前）に、第３のコネクタ４０のＧＮＤ端子４２とシャーシＧＮＤ７０Ｇとが、電気的な接続が絶たれるようになっているからである。
【００４８】
このように、本実施形態に寄れば、ｉＶＤＲ１００のカートリッジ形状の規格を満足しながら、ｉＶＤＲ１００が録画再生装置の第２のコネクタ３２に接続される前に、良好にｉＶＤＲ１００の静電気を除電することが可能となる。従って、録画再生装置の誤動作や回路素子の破壊、さらには、ｉＶＤＲの内部素子の破壊を防ぐことができる。
【００４９】
さらにｉＶＤＲ１００が挿入されと、第３のコネクタ４０が第２コネクタ３２に嵌合してｉＶＤＲの装着が完了する。ｉＶＤＲの装着が完了し、ユーザ（図示せず）がｉＶＤＲ１００から手を離すと、バネ５６の力により装着された第３のコネクタ４０と第２のコネクタ３２との嵌合が外れる恐れがある。
【００５０】
そこで、本実施形態では、図８に示すように、格納部３０端近傍に設けられたロックボタン３６を操作することにより、格納部３０の側壁３７から図示しないロック機構駆動部（例えばプランジャー）によりロック部材３６１が押し出され、固定部材３６１がｉＶＤＲ１００が備えるロック用溝１３に挿入されて、ロックがかかるようにされている。再度、ロックボタン３６を操作すると、固定部材３６１が側壁３７内に収納され、ｉＶＤＲを取り出すことができるようになっている。勿論、本発明はこれに限定されるものではない。例えば、ロックボタンを用いず、ｉＶＤＲ１００の第２コネクタ３２への装着を図示しない方法で検出（例えば録画再生装置の図示しない制御部とｉＶＤＲ１００との通信が成立すれば装着とすることが可能）することにより、自動的に固定部材３６１が押し出され、ｉＶＤＲ１００をロックするようにしてもよい。この場合は、ロックボタン３６はｉＶＤＲ１００をイジェクトするイジェクトボタンとなる。
【００５１】
なお上記実施形態では、ｉＶＤＲ挿入時、ｉＶＤＲ１００の第１コネクタ２６と第３のコネクタ４０が嵌合してｉＶＤＲの静電気を放電するとしたが、本発明はこれに限定されるものではない。ｉＶＤＲの静電気を放電するには、ｉＶＤＲ１００における第１コネクタ２６のＧＮＤ端子と除電手段６０における第３のコネクタ４０のＧＮＤ端子とが完全に嵌合しなくてもよい。第１コネクタ２６のＧＮＤ端子と第３のコネクタ４０のＧＮＤ端子とが接触しさえすればよいことである。このようにしても、ｉＶＤＲ１００がユーザ（図示せず）によって押し込まれると、最後に第１コネクタ２６と第３のコネクタ４０と第２のコネクタ３２とが嵌合するので何の支障も生じない。
【００５２】
以上述べた本実施形態によれば、特別な構造を持たない互換性のある記憶媒体構成体において、帯電した記憶媒体構成体を録画再生装置に挿入しても、録画再生装置の第２のコネクタに接触する前に、除電手段６０によってシャーシＧＮＤに放電してから、録画再生装置の第２のコネクタに挿入することが出来る。これにより、記憶媒体構成体挿入時に静電気による素子破壊や誤作動を防ぐことが出来る。
【図面の簡単な説明】
【００５３】
【図１】本実施形態による録画再生装置の除電手段の動作を説明する模式図。
【図２】本実施形態に係わるｉＶＤＲの外観の斜視図。
【図３】本実施形態に係わるｉＶＤＲの金属製内蔵ＨＤＤを側面から見た模式図。
【図４】帯電したｉＶＤＲの電荷分布図。
【図５】本実施形態による除電手段の構成を模式的に示す断面構成図。
【図６】本実施形態による第３のコネクタの構成を模式的に示した図。
【図７】ｉＶＤＲが第３のコネクタに嵌合した状態を示す図。
【図８】第３のコネクタが接続された状態のｉＶＤＲが第２のコネクタに嵌合した状態を示す図。
【符号の説明】
【００５４】
１０  カートリッジ、１１  コネクタ開口部、１２  ガイドレール、１３  ロック用溝、１４  矢印方向マークエリア、１５  ラベルエリア、２０  ＨＤＤ、２５  金属製外装、２６  第１のコネクタ、２７  駆動回路基板、２８  フレーム、２９  カバー、２９１  ネジ、３０  格納部、３１  挿入口、３２  第２のコネクタ、３５  ストッパー、３６  ロックボタン、３６１  固定部材、３７  側壁、３９  着脱通路、４０  第３のコネクタ、４０ａ，４０ｂ  接続部、４０ｃ，４０ｄ  面、４１  電極端子、４２  ＧＮＤ端子、４３  レール孔、４４  摺動子、４５  ワイヤー、５０  可動部、５０ａ  導電部、５１  ガイド棒、５３  絶縁コーティング、５６  バネ、６０  除電手段、７０Ｇ  シャーシＧＮＤ、１００  ｉＶＤＲ、
【図１】
2009054211.tif 000003
【図２】
2009054211.tif 000004
【図３】
2009054211.tif 000005
【図４】
2009054211.tif 000006
【図５】
2009054211.tif 000007
【図６】
2009054211.tif 000008
【図７】
2009054211.tif 000009
【図８】
2009054211.tif 000010